【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
放射素子と通信状態にある位相配列アンテナであって、該位相配列アンテナは、
該放射素子から二重線形偏波ＲＦ信号を受信するように構成された９０°ハイブリッドであって、９０°移相を投入し、ＲＨＣＰ中間信号およびＬＨＣＰ中間信号を発生させるように構成された９０°ハイブリッドと、
該ＲＨＣＰ中間信号を受信するように構成された第１のベクトル発生器であって、ビームステアリングのために該ＲＨＣＰ中間信号を位相調節し、第１のＲＦ信号を出力するように構成された第１のベクトル発生器と、
該ＬＨＣＰ中間信号を受信するように構成された第２のベクトル発生器であって、ビームステアリングのために該ＬＨＣＰ中間信号を位相調節し、第２のＲＦ信号を出力するように構成された第２のベクトル発生器と
を備える、位相配列アンテナ。
【請求項２】
前記９０°ハイブリッドは、９０°能動的ハイブリッドである、請求項１に記載の位相配列アンテナ。
【請求項３】
前記９０°ハイブリッドは、９０°受動的ハイブリッドであり、該９０°受動的ハイブリッドは、分枝線ハイブリッドおよびＬａｎｇｅ連結器のうちの１つである、請求項１に記載の位相配列アンテナ。
【請求項４】
放射素子と通信状態にある位相配列アンテナであって、該位相配列アンテナは、
該放射素子から第１の信号を受信するように構成された第１のベクトル発生器であって、偏波追跡およびビームステアリングのために該第１の信号の位相および振幅の調節を提供し、第１の中間信号を出力するように構成された第１のベクトル発生器と、
該放射素子から第２の信号を受信するように構成された第２のベクトル発生器であって、偏波追跡およびビームステアリングのために該第２の信号の位相および振幅の調節を提供し、第２の中間信号を出力するように構成された第２のベクトル発生器と、
該第１の中間信号および該第２の中間信号を受信し、位相差を伴う２つのＲＦ出力信号を発生させるように構成されたハイブリッドであって、該２つのＲＦ出力信号はそれぞれ、該第１の中間信号と該第２の中間信号との合成である、ハイブリッドと
を備え、
該第１のベクトル発生器および該第２のベクトル発生器は、個別に、並列である第１の象限選択および第２の象限選択と、並列である第１の可変利得増幅器および第２の可変利得増幅器とを備える、位相配列アンテナ。
【請求項５】
前記ハイブリッドは、９０°位相差を発生させるように構成された９０°能動的ハイブリッドである、請求項４に記載の位相配列アンテナ。
【請求項６】
前記ハイブリッドは、１８０°位相差を発生させるように構成された１８０°能動的ハイブリッドである、請求項４に記載の位相配列アンテナ。
【請求項７】
前記ハイブリッドは、９０°受動的ハイブリッドであり、該９０°受動的ハイブリッドは、分枝線ハイブリッドおよびＬａｎｇｅ連結器のうちの１つである、請求項４に記載の位相配列アンテナ。
【請求項８】
前記ハイブリッドは、１８０°受動的ハイブリッドであって、該１８０°受動的ハイブリッドは、マジックＴおよびリングハイブリッドのうちの１つである、請求項４に記載の位相配列アンテナ。
【請求項９】
放射素子と通信状態にある位相配列アンテナであって、該位相配列アンテナは、
該放射素子から第１の信号を受信するように構成された第１のベクトル発生器であって、偏波追跡およびビームステアリングのために該第１の信号の位相および振幅の調節を提供し、第１の中間信号を出力するように構成された第１のベクトル発生器と、
該放射素子から第２の信号を受信するように構成された第２のベクトル発生器であって、偏波追跡およびビームステアリングのために該第２の信号の位相および振幅の調節を提供し、第２の中間信号を出力するように構成された第２のベクトル発生器と、
該第１の中間信号および該第２の中間信号を受信するように構成された結合器であって、該第１および第２の中間信号は、ＲＦ出力信号に結合される、結合器と
を備える、
該第１のベクトル発生器および該第２のベクトル発生器は、個別に、並列である第１の象限選択および第２の象限選択と、並列である第１の可変利得増幅器および第２の可変利得増幅器とを備える、位相配列アンテナ。
【請求項１０】
放射素子と通信状態にある位相配列アンテナであって、該位相配列アンテナは、
該放射素子から二重線形偏波ＲＦ信号を受信するように構成されたハイブリッドであって、移相を投入し、第１の偏波中間信号および第２の偏波中間信号を発生させるように構成されたハイブリッドと、
該第１の偏波中間信号を受信するように構成された第１のベクトル発生器であって、ビームステアリングのために該第１の偏波中間信号を位相調節し、第１のＲＦ中間信号を出力するように構成された第１のベクトル発生器と、
該第２の偏波中間信号を受信するように構成された第２のベクトル発生器であって、ビームステアリングのために該第２の偏波中間信号を位相調節し、第２のＲＦ中間信号を出力するように構成された第２のベクトル発生器と、
該第１のＲＦ中間信号および該第２のＲＦ中間信号を受信するように構成された結合器であって、該第１および第２のＲＦ中間信号は、ＲＦ出力信号に結合される、結合器と
を備え、
該第１のベクトル発生器および該第２のベクトル発生器は、個別に、並列である第１の象限選択および第２の象限選択と、並列である第１の可変利得増幅器および第２の可変利得増幅器とを備える、位相配列アンテナ。
【請求項１１】
前記ハイブリッドは、９０°移相を投入するように構成された９０°能動的ハイブリッドである、請求項１０に記載の位相配列アンテナ。
【請求項１２】
前記ハイブリッドは、１８０°移相を投入するように構成された１８０°能動的ハイブリッドである、請求項１０に記載の位相配列アンテナ。
【請求項１３】
前記ハイブリッドは、９０°受動的ハイブリッドまたは１８０°受動的ハイブリッドのいずれかである、請求項１０に記載の位相配列アンテナ。
【請求項１４】
放射素子と通信状態にある位相配列アンテナであって、該位相配列アンテナは、
該放射素子から二重線形偏波ＲＦ信号を受信するように構成されたハイブリッドであって、移相を投入し、第１の偏波中間信号および第２の偏波中間信号を発生させるように構成されたハイブリッドと、
該第１の偏波中間信号を受信するように構成された第１のベクトル発生器であって、ビームステアリングのために該第１の偏波中間信号を位相調節し、第１のＲＦ中間信号を出力するように構成された第１のベクトル発生器と、
該第２の偏波中間信号を受信するように構成された第２のベクトル発生器であって、ビームステアリングのために該第２の偏波中間信号を位相調節し、第２のＲＦ中間信号を出力するように構成された第２のベクトル発生器と、
該第１のＲＦ中間信号および該第２のＲＦ中間信号を受信し、位相差を伴う２つのＲＦ出力信号を発生させるように構成された出力ハイブリッドであって、該２つのＲＦ出力信号は、該第１のＲＦ中間信号と該第２のＲＦ中間信号との合成である、出力ハイブリッドと
を備え、
該第１のベクトル発生器および該第２のベクトル発生器は、個別に、並列である第１の象限選択および第２の象限選択と、並列である第１の可変利得増幅器および第２の可変利得増幅器とを備える、位相配列アンテナ。
【請求項１５】
前記ハイブリッドは、９０°能動的ハイブリッドまたは１８０°能動的ハイブリッドである、請求項１４に記載の位相配列アンテナ。
【請求項１６】
前記ハイブリッドは、９０°受動的ハイブリッドまたは１８０°受動的ハイブリッドのいずれかである、請求項１４に記載の位相配列アンテナ。
【請求項１７】
前記第１の偏波中間信号は、右旋円偏波（ＲＨＣＰ）中間信号であり、前記第２の偏波中間信号は、左旋円偏波（ＬＨＣＰ）中間信号である、請求項１０〜１６に記載の位相配列アンテナ。
【請求項１８】
前記第１の偏波中間信号は、ａ＋４５°傾斜偏波中間信号であり、前記第２の偏波中間信号は、ａ−４５°傾斜偏波中間信号である、請求項１０〜１６に記載の位相配列アンテナ。
【請求項１９】
前記結合器は、能動的結合器である、請求項９〜１３に記載の位相配列アンテナ。
【請求項２０】
前記結合器は、受動的結合器であり、該受動的結合器は、Ｗｉｌｋｉｎｓｏｎ結合器である、請求項９〜１３に記載の位相配列アンテナ。
【請求項２１】
前記ハイブリッドは、１８０°能動的ハイブリッドである、請求項１８に記載の位相配列アンテナ。
【請求項２２】
前記ハイブリッドは、１８０°受動的ハイブリッドである、請求項１８に記載の位相配列アンテナ。
【請求項２３】
前記出力ハイブリッドは、９０°能動的ハイブリッドまたは１８０°能動的ハイブリッドである、請求項１４〜１６に記載の位相配列アンテナ。
【請求項２４】
前記出力ハイブリッドは、９０°受動的ハイブリッドまたは１８０°受動的ハイブリッドのいずれかである、請求項１４〜１６に記載の位相配列アンテナ。
【手続補正２】
【補正対象書類名】明細書
【補正対象項目名】００１４
【補正方法】変更
【補正の内容】
【００１４】
さらに、ある例示的実施形態では、位相配列アンテナは、放射素子と通信状態にあって、位相配列アンテナは、ハイブリッド、第１のベクトル発生器、第２のベクトル発生器、および出力ハイブリッドを備える。ハイブリッドは、放射素子から二重線形偏波されたＲＦ信号を受信し、移相を投入し、ＲＨＣＰ中間信号およびＬＨＣＰ中間信号を発生させるように構成される。第１のベクトル発生器は、ＲＨＣＰ中間信号を受信し、ビームステアリングのためにＲＣＨＰ中間信号を位相調節し、第１のＲＦ中間信号を出力するように構成される。第２のベクトル発生器は、ＬＨＣＰ中間信号を受信し、ビームステアリングのためにＬＣＨＰ中間信号を位相調節し、第２のＲＦ中間信号を出力するように構成される。さらに、出力ハイブリッドは、第１のＲＦ中間信号および第２のＲＦ中間信号を受信し、位相差を伴う２つのＲＦ出力信号を発生させるように構成される。２つのＲＦ出力信号は、第１および第２のＲＦ中間信号の合成である。
本願明細書は、例えば、以下の項目も提供する。
（項目１）
放射素子と通信状態にある位相配列アンテナであって、
該放射素子から二重線形偏波されたＲＦ信号を受信するように構成された９０°ハイブリッドであって、９０°移相を投入し、ＲＨＣＰ中間信号およびＬＨＣＰ中間信号を発生させるように構成された９０°ハイブリッドと、
該ＲＨＣＰ中間信号を受信するように構成された第１のベクトル発生器であって、ビームステアリングのために該ＲＣＨＰ中間信号を位相調節し、第１のＲＦ信号を出力するように構成された第１のベクトル発生器と、
該ＬＨＣＰ中間信号を受信するように構成された第２のベクトル発生器であって、ビームステアリングのために該ＬＣＨＰ中間信号を位相調節し、第２のＲＦ信号を出力するように構成された第２のベクトル発生器と
を備える、位相配列アンテナ。
（項目２）
前記９０°ハイブリッドは、９０°能動的ハイブリッドである、項目１に記載の位相配列アンテナ。
（項目３）
前記９０°ハイブリッドは、９０°受動的ハイブリッドであり、該９０°受動的ハイブリッドは、分枝線ハイブリッドおよびＬａｎｇｅ連結器のうちの１つである、項目１に記載の位相配列アンテナ。
（項目４）
放射素子と通信状態にある位相配列アンテナであって、
該放射素子から第１の信号を受信するように構成された第１のベクトル発生器であって、偏波追跡およびビームステアリングのために該第１の信号の位相および振幅の調節を提供し、第１の中間信号を出力するように構成された第１のベクトル発生器と、
該放射素子から第２の信号を受信するように構成された第２のベクトル発生器であって、偏波追跡およびビームステアリングのために該第２の信号の位相および振幅の調節を提供し、第２の中間信号を出力するように構成された第２のベクトル発生器と、
該第１の中間信号および該第２の中間信号を受信し、位相差を伴う２つのＲＦ出力信号を発生させるように構成されたハイブリッドであって、該２つのＲＦ出力信号はそれぞれ、該第１の中間信号と該第２の中間信号との合成である、ハイブリッドと
を備える、位相配列アンテナ。
（項目５）
前記ハイブリッドは、９０°位相差を発生させるように構成された９０°能動的ハイブリッドである、項目４に記載の位相配列アンテナ。
（項目６）
前記ハイブリッドは、１８０°位相差を発生させるように構成された１８０°能動的ハイブリッドである、項目４に記載の位相配列アンテナ。
（項目７）
前記ハイブリッドは、９０°受動的ハイブリッドであり、該９０°受動的ハイブリッドは、分枝線ハイブリッドおよびＬａｎｇｅ連結器のうちの１つである、項目４に記載の位相配列アンテナ。
（項目８）
前記ハイブリッドは、１８０°受動的ハイブリッドであって、該１８０°受動的ハイブリッドは、マジックＴおよびリングハイブリッドのうちの１つである、項目４に記載の位相配列アンテナ。
（項目９）
放射素子と通信状態にある位相配列アンテナであって、
該放射素子から第１の信号を受信するように構成された第１のベクトル発生器であって、偏波追跡およびビームステアリングのために該第１の信号の位相および振幅の調節を提供し、第１の中間信号を出力するように構成された第１のベクトル発生器と、
該放射素子から第２の信号を受信するように構成された第２のベクトル発生器であって、偏波追跡およびビームステアリングのために該第２の信号の位相および振幅の調節を提供し、第２の中間信号を出力するように構成された第２のベクトル発生器と、
該第１の中間信号および該第２の中間信号を受信するように構成された結合器であって、該第１および第２の中間信号は、ＲＦ出力信号に結合される、結合器と
を備える、位相配列アンテナ。
（項目１０）
前記結合器は、能動的結合器である、項目９に記載の位相配列アンテナ。
（項目１１）
前記結合器は、受動的結合器であり、該受動的結合器は、Ｗｉｌｋｉｎｓｏｎ結合器である、項目９に記載の位相配列アンテナ。
（項目１２）
放射素子と通信状態にある位相配列アンテナであって、
該放射素子から二重線形偏波されたＲＦ信号を受信するように構成されたハイブリッドであって、移相を投入し、ＲＨＣＰ中間信号およびＬＨＣＰ中間信号を発生させるように構成されたハイブリッドと、
該ＲＨＣＰ中間信号を受信するように構成された第１のベクトル発生器であって、ビームステアリングのために該ＲＣＨＰ中間信号を位相調節し、第１のＲＦ中間信号を出力するように構成された第１のベクトル発生器と、
該ＬＨＣＰ中間信号を受信するように構成された第２のベクトル発生器であって、ビームステアリングのために該ＬＣＨＰ中間信号を位相調節し、第２のＲＦ中間信号を出力するように構成された第２のベクトル発生器と、
該第１のＲＦ中間信号および該第２のＲＦ中間信号を受信するように構成された結合器であって、該第１および第２のＲＦ中間信号は、ＲＦ出力信号に結合される、結合器と
を備える、位相配列アンテナ。
（項目１３）
前記ハイブリッドは、９０°移相を投入するように構成された９０°能動的ハイブリッドである、項目１２に記載の位相配列アンテナ。
（項目１４）
前記ハイブリッドは、１８０°移相を投入するように構成された１８０°能動的ハイブリッドである、項目１２に記載の位相配列アンテナ。
（項目１５）
前記ハイブリッドは、９０°受動的ハイブリッドまたは１８０°受動的ハイブリッドのいずれかである、項目１２に記載の位相配列アンテナ。
（項目１６）
前記結合器は、能動的結合器である、項目１２に記載の位相配列アンテナ。
（項目１７）
前記結合器は、受動的結合器であり、該受動的結合器は、Ｗｉｌｋｉｎｓｏｎ結合器である、項目１２に記載の位相配列アンテナ。
（項目１８）
放射素子と通信状態にある位相配列アンテナであって、
該放射素子から二重線形偏波されたＲＦ信号を受信するように構成されたハイブリッドであって、移相を投入し、ＲＨＣＰ中間信号およびＬＨＣＰ中間信号を発生させるように構成されたハイブリッドと、
該ＲＨＣＰ中間信号を受信するように構成された第１のベクトル発生器であって、ビームステアリングのために該ＲＣＨＰ中間信号を位相調節し、第１のＲＦ中間信号を出力するように構成された第１のベクトル発生器と、
該ＬＨＣＰ中間信号を受信するように構成された第２のベクトル発生器であって、ビームステアリングのために該ＬＣＨＰ中間信号を位相調節し、第２のＲＦ中間信号を出力するように構成された第２のベクトル発生器と、
該第１のＲＦ中間信号および該第２のＲＦ中間信号を受信し、位相差を伴う２つのＲＦ出力信号を発生させるように構成された出力ハイブリッドであって、該２つのＲＦ出力信号は、該第１のＲＦ中間信号と該第２のＲＦ中間信号との合成である、出力ハイブリッドと
を備える、位相配列アンテナ。
（項目１９）
前記ハイブリッドは、９０°能動的ハイブリッドまたは１８０°能動的ハイブリッドである、項目１８に記載の位相配列アンテナ。
（項目２０）
前記ハイブリッドは、９０°受動的ハイブリッドまたは１８０°受動的ハイブリッドのいずれかである、項目１８に記載の位相配列アンテナ。
（項目２１）
前記出力ハイブリッドは、９０°能動的ハイブリッドまたは１８０°能動的ハイブリッドである、項目１８に記載の位相配列アンテナ。
（項目２２）
前記出力ハイブリッドは、９０°受動的ハイブリッドまたは１８０°受動的ハイブリッドのいずれかである、項目１８に記載の位相配列アンテナ。